(57)【要約】【課題】社外で勤務を行う者の移動実態を実時間で把握し、移動実態の把握と旅費の精算作業を一体化したサービスを可能とする交通機関管理システムを提供する。【解決手段】契約顧客の任命した管理者８が操作する管理者端末９と、契約顧客６の中の利用者１０が操作する利用者端末１１にインターネット網５を介して通信自在に接続されると共に、交通機関１２側に設置される交通機関システム１３と、金融機関１４側に設置される金融機関システム１５に通信自在に接続される交通機関管理システム１であって、交通機関管理システム１は、交通機関システム１３からICカード１５２の利用状況を受信する手段と、管理者端末９にICカード１５２の利用状況を閲覧させるＷｅｂページを送信する手段等を備えている。【選択図】図１
2007172267.tif 000002
【特許請求の範囲】
【請求項１】
契約顧客の任命した管理者が操作する管理者端末と、契約顧客の中の利用者が操作する利用者端末にインターネット網を介して通信自在に接続されると共に、交通機関側に設置される交通機関システムと、金融機関側に設置される金融機関システムに通信自在に接続される交通機関管理システムであって、
前記交通機関管理システムは、顧客情報格納データベースと、利用状況格納データベースを備えると共に、
ICカードを発行する手段と、
発行したICカードに登録した内容を前記顧客情報格納データベースに登録する手段と、
前記交通機関システムからICカードの利用状況を受信する手段と、
前記交通機関システムにICカードの利用可否状況を送信する手段と、
前記管理者端末にICカードの利用者の名前と、グループと、WebログオンIDと、パスワードとを設定させるためのＷｅｂページを送信し、設定情報を受信する手段と、
前記管理者端末にICカードの利用状況を閲覧させるＷｅｂページを送信する手段と、
設定されたタイミングでのICカードの利用時に、利用状況をメールで送信するための設定を行うＷｅｂページを前記管理者端末に送信し、設定情報を受信する手段と、
メールで受け取る設定のメールアドレスへ利用状況を送信する手段と、
Webサイトにログオンした前記管理者端末にICカードの利用状況を承認するためのＷｅｂページを送信する手段と、
Webサイトにログオンした前記管理者端末に、支払日に区切られた支払い予定と未承認データを閲覧させるＷｅｂページを送信する手段と、
Webサイトにログオンした前記管理者端末に、未承認データの支払い方法を契約顧客が支払うか利用者が支払うか選択するＷｅｂページを送信し、その選択情報を受信する手段と、
Webサイトにログオンした前記利用者端末に、利用状況と承認状況を閲覧させるＷｅｂページを送信する手段と、
前記金融機関システムの口座またはクレジットカードから支払いを実行する手段とを備えたことを特徴とする交通機関管理システム。
【請求項２】
前記交通機関管理システムは、更に、
Webサイトにログオンした前記管理者端末に、グループやICカード番号の範囲により管理者を委任するＷｅｂページを送信し、委任情報を受信する手段と、
Webサイトにログオンした前記管理者端末に、Webアクセス用のパスワードを変更するＷｅｂページを送信し、変更情報を受信する手段と、
Webサイトにログオンした前記利用者端末に、支払いの口座又はクレジットカード番号を変更するためのＷｅｂページを送信し、変更情報を受信する手段と、
Webサイトにログオンした前記利用者端末に、Webアクセス用のパスワードを変更できるＷｅｂページを送信し、変更情報を受信する手段とを備えたことを特徴とする請求項１記載の交通機関管理システム。
【請求項３】
請求項１又は２記載の交通機関管理システムに対し、Web上から管理を委任する管理者を設定するステップと、Web上からカードの利用可否を設定するステップと、承認状況により利用料金の支払い者をWeb上から変更するステップと、特定期間毎の利用料金合計を算出し、支払い予定として計算するステップと、利用料金を自動的に支払うステップとを実行させることを特徴とする交通機関管理システム利用方法。
【発明の詳細な説明】
【技術分野】
【０００１】
本発明は、交通機関の利用状況通知から支払いまでをWebを利用して実現する交通機関管理システム及びその利用法に関するものである。
【背景技術】
【０００２】
業務の一環として一時的個人負担により交通機関を利用した場合、利用者に対して購入履歴や領収書の提出を求め、もしくは利用者に自己申請させ、購入履歴や領収書もしくは自己申請に対して、承認者または社内部署が実態確認を行った後、旅費の振込み処理を行っている。
【０００３】
又、現在、交通機関である鉄道、バス、飛行機等を利用した際の代金支払い方法として、直接代金を支払う方法に加え、予めチケットを購入する方法、事前にプリペイドカード等を購入しその範囲内で利用可能なチケットを利用する方法等が用いられており、利用したチケットが回収される場合もある。
【０００４】
最近では、チケットやプリペイドカードとしてのデータを非接触型ICカードに格納し、交通機関の入場に利用するシステムも普及しつつある。
非接触型ICカードを用いて交通機関を利用した際、領収書や購入履歴を入手する手法として、鉄道会社では券売機等で手続きを行う方法、航空会社では利用した個人の会員番号を利用してWEBサイトでのチケット購入履歴を表示する方法等が用いられている。
【０００５】
更に、交通機関における利用履歴通知に関連する公知技術として、下記特許文献１により交通機関システムを利用する情報管理サーバーにユーザのメールアドレスと該当するユーザが所持するプリペイドカードの識別子を事前に登録する手段と、ユーザが交通機関を利用した際に、利用したカードの識別子、日時、場所、清算料金、残高のいずれかを含む利用履歴情報を取得する手段と、その値を記憶装置に格納する手段と、識別子毎に利用履歴をまとめて登録されたメールアドレスに送信する手段を持つシステムが開発されており、利用者自身の利便性向上が図られている。
【特許文献１】特開２００４―５４９９号公報
【発明の開示】
【発明が解決しようとする課題】
【０００６】
前記特許文献１の技術では、交通機関の利用履歴を利用者が登録したメールアドレスに利用履歴情報を送信する事で利用者本人が利用履歴をまとめた情報を受け取る事ができ、ユーザの利便性向上が図られている。
【０００７】
然しながら、交通機関が企業活動における業務上の理由で利用された場合の、移動実態把握や旅費の精算作業に関する項目を含んでおらず、移動実態の承認作業や移動実態と旅費の照らし合わせ作業が必要となり、その確認作業の工数削減には繋がらない。
【０００８】
又、旅費の清算作業は交通機関におけるチケット取り扱い方法や、処理上の理由から申請者任せとなっている場合が多く、空出張等の犯罪に利用された事件も発生している。更に、取り扱う利用者が多ければ、その分金融機関の個人口座への振込み手数料も負担する必要もあり旅費を精算する事による金銭的負担が大きい。
【０００９】
以上の現状に鑑み、本発明は、社外で勤務を行う者の移動実態を実時間で把握し、移動実態の把握と旅費の精算作業を一体化したサービスを可能とする交通機関管理システム及びその利用法を提供することを目的とする。
【課題を解決するための手段】
【００１０】
上記の課題を解決すべく、本発明は以下の構成を提供する。
請求項１に係る発明は、契約顧客の任命した管理者が操作する管理者端末と、契約顧客の中の利用者が操作する利用者端末にインターネット網を介して通信自在に接続されると共に、交通機関側に設置される交通機関システムと、金融機関側に設置される金融機関システムに通信自在に接続される交通機関管理システムであって、
前記交通機関管理システムは、顧客情報格納データベースと、利用状況格納データベースを備えると共に、
ICカードを発行する手段と、
発行したICカードに登録した内容を前記顧客情報格納データベースに登録する手段と、
前記交通機関システムからICカードの利用状況を受信する手段と、
前記交通機関システムにICカードの利用可否状況を送信する手段と、
前記管理者端末にICカードの利用者の名前と、グループと、WebログオンIDと、パスワードとを設定させるためのＷｅｂページを送信し、設定情報を受信する手段と、
前記管理者端末にICカードの利用状況を閲覧させるＷｅｂページを送信する手段と、
設定されたタイミングでのICカードの利用時に、利用状況をメールで送信するための設定を行うＷｅｂページを前記管理者端末に送信し、設定情報を受信する手段と、
メールで受け取る設定のメールアドレスへ利用状況を送信する手段と、
Webサイトにログオンした前記管理者端末にICカードの利用状況を承認するためのＷｅｂページを送信する手段と、
Webサイトにログオンした前記管理者端末に、支払日に区切られた支払い予定と未承認データを閲覧させるＷｅｂページを送信する手段と、
Webサイトにログオンした前記管理者端末に、未承認データの支払い方法を契約顧客が支払うか利用者が支払うか選択するＷｅｂページを送信し、その選択情報を受信する手段と、
Webサイトにログオンした前記利用者端末に、利用状況と承認状況を閲覧させるＷｅｂページを送信する手段と、
前記金融機関システムの口座またはクレジットカードから支払いを実行する手段とを備えたことを特徴とする交通機関管理システムを提供するものである。
【００１１】
請求項２に係る発明は、前記交通機関管理システムは、更に、
Webサイトにログオンした前記管理者端末に、グループやICカード番号の範囲により管理者を委任するＷｅｂページを送信し、委任情報を受信する手段と、
Webサイトにログオンした前記管理者端末に、Webアクセス用のパスワードを変更するＷｅｂページを送信し、変更情報を受信する手段と、
Webサイトにログオンした前記利用者端末に、支払いの口座又はクレジットカード番号を変更するためのＷｅｂページを送信し、変更情報を受信する手段と、
Webサイトにログオンした前記利用者端末に、Webアクセス用のパスワードを変更できるＷｅｂページを送信し、変更情報を受信する手段とを備えたことを特徴とする請求項１記載の交通機関管理システムを提供するものである。
【００１２】
請求項３に係る発明は、請求項１又は２記載の交通機関管理システムに対し、Web上から管理を委任する管理者を設定するステップと、Web上からカードの利用可否を設定するステップと、承認状況により利用料金の支払い者をWeb上から変更するステップと、特定期間毎の利用料金合計を算出し、支払い予定として計算するステップと、利用料金を自動的に支払うステップとを実行させることを特徴とする交通機関管理システム利用方法を提供するものである。
【発明の効果】
【００１３】
本発明の請求項１記載の発明によれば、特定利用者が交通機関利用時に、管理者がその利用状況を把握できると共に、事象発生時に承認者に交通機関利用情報を通知する事と、交通機関を利用した情報に関して承認作業を行う事で、勤務状況の監視と旅費の精算が容易になる事が期待できる。また、旅費の支払いを利用者では無く交通機関に直接行う事で、不正な申請の抑止と共に、利用者が多い事業主では振込み手数料負担の低減が期待できる。
【００１４】
請求項２記載の発明によれば、請求項１記載の発明の効果に加え、Webサイトにログオンした管理者端末によって、グループやICカード番号の範囲により管理者を委任することができると共に、Webアクセス用のパスワードを変更でき、Webサイトにログオンした前記利用者端末によって、支払いの口座、クレジットカード番号、又は、パスワードを変更できる。
【００１５】
請求項３記載の発明によれば、請求項１又は２記載の交通機関管理システムに対し、Web上から管理を委任する管理者を設定し、カードの利用可否を設定し、承認状況により利用料金の支払い者を変更すると共に、特定期間毎の利用料金合計を算出し、支払い予定として計算し、利用料金を自動的に支払うステップを実行させることができる。
【発明を実施するための最良の形態】
【００１６】
以下、実施例を示した図面を参照しつつ本発明の実施の形態を説明する。
図１は、本発明の一実施例を示すシステム構成図である。この実施例の交通機関管理システム１は、例えば、交通機関管理センター２に設置され、顧客情報格納ＤＢ（データベース）３と利用状況格納ＤＢ（データベース）４を備えると共に、インターネット網５を利用して契約顧客６側に設置される契約顧客システム７、契約顧客６の任命した管理者８が操作する管理者端末９、及び、契約顧客６の中の利用者１０が操作する利用者端末１１に接続されている。
更に、交通機関管理センター２は、専用の回線を介して交通機関１２側に設置される交通機関システム１３と金融機関１４側に設置される金融機関システム１５とも接続されている。尚、前記交通機関管理センター２は、交通機関１２に属するものであっても良く、交通機関１２から独立したものであっても良い。
【００１７】
契約顧客６が交通機関１２と契約を結び、契約料と月や年毎の利用料を支払う事で顧客番号と管理者ID、パスワードが付与される。契約顧客６が交通機関１２と契約を結ぶ作業、顧客番号と管理者ID、パスワードが付与される作業は、交通機関管理センター２と、契約顧客６側に設置される契約顧客システム７との間の通信によって実施することができるが、システム外で行なっても良い。契約顧客システム７は、適宜、交通機関管理センター２との情報交換を行うことができると共に、後述する管理者端末９及び利用者端末１０の監視、それらの代用として用いることができる。
【００１８】
交通機関管理システム１は、カード発行部１０４を持ち、カード発行部１０４によって、新規契約、更新時等にICカード１５２を発行し、交通機関管理センター２はICカード１５２を契約顧客６に提供する。交通機関管理システム１は、発行したICカード１５２の情報をDB更新部１０２によって、顧客情報格納ＤＢ３の図２に示すユーザテーブル３０に含まれる項目のうち、カード番号３０１、利用者名３０３、ＩＤ３０５、有効／無効３０７に記録する。又、カード毎に個人が料金を支払う事もできるようにするか、契約顧客６が全て支払うかの設定を行い、図３に示す引き落とし方法４１２に記録する。
【００１９】
又、交通機関管理システム１は、Web公開部１０５を持ち、管理者端末９に搭載されたWebブラウザ１４１と、利用者端末１１に搭載されたWebブラウザ１５１からのアクセスを受け、Webページにより表示させるため、利用状況格納ＤＢ４の内容を送信すると共に、Webページにより設定変更を受付け、受付けた設定変更内容に基づき、ＤＢ更新部１０２を用いて顧客情報格納ＤＢ３と利用状況格納ＤＢ４の内容を更新する。
【００２０】
利用者端末１１に搭載されたWebブラウザ１５１からWeb公開部１０５へアクセスすると、図４に示すログオンページである交通機関管理システムWeb５０がWebブラウザによって表示される。交通機関管理システムWeb５０には認証画面が表示され、図中、会社番号欄に顧客番号、ユーザ名欄に管理者IDを入力し、パスワード入力欄にパスワードを入力すると図５に示す利用履歴（管理者用）６０画面が表示される。利用履歴（管理者用）６０の画面には表示切替えタブ６１があり、支払い予定７０、管理の委任８０、通知設定９０、ユーザ設定１００のページ表示を切替えできる。
【００２１】
図６に示すユーザ設定１００の画面にはユーザ情報としてカード番号毎に有効／無効設定、カード番号、利用者名、グループ名、個人ID、パスワードが表示される。ユーザ有効／無効ボタン１００１をクリックする事で該当のカード利用の有効、無効を設定する。ユーザ有効／無効ボタン１００１の有効無効設定情報は情報送受信部１０１から交通機関システム１３の情報送受信部１６１に送信され、即座にカード利用の有効化、無効化が図れる。
【００２２】
ユーザ編集ボタン１００２をクリックする事で該当する行の利用者名、グループ名、個人ID、パスワード、有効／無効を設定する。
又、ユーザ情報CSVダウンロードボタン１００３をクリックすると情報一覧のファイルをダウンロードし、ダウンロード後編集したファイルをユーザ情報CSVアップロードフォーム１００４でアップロードする事で複数行のユーザ情報を一括設定する。
【００２３】
設定実施後、ユーザ情報適用ボタン１００５を押すとDB更新部１０２を利用して顧客情報格納ＤＢ３の図２に示すユーザテーブル３０に含まれる利用者名３０３、所属グループ３０４、ID３０５、パスワード３０６、有効／無効３０７の内容を更新する。尚、図６中、１００６は、管理者のパスワードを変更するためのパスワード変更ボタンである。
【００２４】
図７に示す管理の委任８０の画面では新規管理者IDとパスワードを入力して作成ボタンを押すことで管理者を追加する管理者の追加欄８１と、管理者名を選択し、管理者８に管理を委任したいグループ名、又は、カード番号範囲を入力し作成ボタンを押す事で管理委任ルールを作成する管理委任ルールの追加欄８２と、作成済みルールを表示する作成済みルール欄８３と、作成済みルール適用可否を決定するルール有効可否ボタン８４と、設定した情報を適用するルール適用ボタン８５とを持つ。
【００２５】
管理者の追加欄８１の作成ボタンを押すとDB更新部１０２を利用して、顧客情報格納ＤＢ３の図２に示すユーザテーブル３０の顧客番号３０２、利用者名３０３、ID３０５、パスワード３０６の項目を入力情報に合わせて登録し、管理者フラグ３０１１の欄に“１”を登録する。
【００２６】
管理者委任ルールの追加欄８２の作成ボタンを押すとDB更新部１０２を利用して、顧客情報格納ＤＢ３の図３に示す管理ルールテーブル４０の顧客番号４０１、ID４０２、管理グループ４０３又は管理カード４０４を登録する。
【００２７】
図８に示す通知設定画面９０の画面では、自分が管理するカード番号が利用された時の通知を設定する項目であり、E-mailアドレスと電話番号及びそれぞれの通知可否状態を設定する通知先欄９１と、通知を行う対象を乗車時、退社時それぞれの可否を選択する通知対象欄９２と、設定を適用する適用ボタン９３を持つ。
【００２８】
適用ボタン９３を押すとDB更新部１０２を利用して、顧客情報格納ＤＢ３の図２に示すユーザテーブル３０のID３０５が現在ログオンしている管理者８と同じIDの行の、メール３０８、乗車通知可否３０９、降車通知可否３０１０の項目を入力情報に合わせて登録する。
【００２９】
図９及び図１に示す如く、社外で勤務を行なう等の利用者１０がＩＣカード１５２を利用して、交通機関１２の入場、退場の際に交通機関システム１３の情報読み取り部１６３にＩＣカード１５２の情報を読み込ませる処理により交通機関１２を利用すると（ステップＳ１）、交通機関システム１３の情報読み取り部１６３が読み取った情報の内容を、情報処理部１６２が交通機関管理システム１の発行したものか判断し（ステップＳ２）、交通機関管理システム１の発行したものであれば、利用日時、場所、入場・退場情報、利用カード名、利用料金、自社名を、情報送受信部１６１を利用して交通機関管理システム１に送信し（ステップＳ３）、情報送受信部１０１が受信する（ステップＳ４）。
【００３０】
交通機関管理システム１の情報送受信部１０１が受信したデータはＤＢ更新部１０２を利用して利用状況格納ＤＢ４に情報を登録する（ステップＳ５）。登録する内容は、交通機関１２入場時であれば図１０に示す利用状況テーブル２０の利用番号２０１、乗車日時２０２、乗車場所２０３、及び、基本情報テーブル２１の利用番号２１１、利用カード番号２１２、承認状況２１３であり、利用番号２０１、２１１、２２１には同一の番号を振る。又、承認状況２１３の内容は未承認とする。
【００３１】
交通機関１２退場時であれば受信した利用カード番号と登録済の利用カード番号２１２が同じ値のレコードの中から最新のレコードの利用番号２１１のレコードを検索し、その番号で利用番号２０１が登録されているレコードに降車日時２０４、降車場所２０５、又、利用料金テーブル２２の利用番号２２１、料金２２２、利用会社２２３を登録する。尚、利用番号２２１の番号は検索したものと同じ番号とし、料金が発生した利用会社毎にレコードを登録する。
【００３２】
登録を実施すると同時に利用カード番号を管理する管理者８のIDを顧客情報ＤＢ３の図２及び図３に示すユーザテーブル３０、管理ルールテーブル４０から検索し（ステップＳ６）、ユーザテーブル３０のID３０５から検索したIDを持つ行と、利用カード番号がカード番号３０１と一致する行の乗車通知３０９、降車通知３０１０の該当する項目が“１”の場合（ステップＳ７）、メール３０８のアドレスに、乗車の場合は図１０に示す乗車日時２０２、乗車場所２０３、利用カード番号２１２を、情報送受信部１０１を利用して送信する（ステップＳ８）。降車の場合は乗車通知の情報に加え、降車日時２０４、降車場所２０５、料金２２２、利用会社２２３を送信する。
【００３３】
図１１及び図１に示す如く、管理者端末９から、管理者８のIDでWeb公開部１０５の図４に示す交通機関管理システムWeb５０にログオンし（ステップＳ１１）、図５に示す利用履歴（管理者用）６０を表示すると、利用履歴（管理者用）６０には、管理対象のユーザが利用した履歴として利用情報格納ＤＢ４の図２に示すユーザテーブル３０の３０３から利用者名、利用状況格納ＤＢ４の図１０に示す利用状況テーブル２０の２０２から乗車日時、２０３から乗車場所、２０４から降車日時、２０５から降車場所、利用料金テーブル２２の２２２、２２３から料金及び利用鉄道会社、基本情報料金テーブル２１の２１３から承認状態が表示される（ステップＳ１２）。
【００３４】
図５に於いて、承認ボタン６２を押すと、承認情報は交通機関管理システム１に送信され（ステップＳ１３）、受信（ステップＳ１４）された情報に基づき、交通機関管理システム１はDB更新部１０２を利用して図１０に示す承認状況２１３の内容を更新する（ステップＳ１５）。
【００３５】
図１２及び図１に示す如く、管理者端末９から管理者８のIDでWeb公開部１０５の図４に示す交通機関管理システムWeb５０にログオンし（ステップＳ２１）、図１３に示す支払い予定（管理者用）７０の画面を表示すると、支払い予定（管理者用）７０画面には、管理対象のカードで一定期間中に利用した金額を情報処理部１０３が顧客情報格納ＤＢ３と利用状況格納ＤＢ４から算出し、利用会社毎に、支払い予定日、利用会社、利用対象期間、料金、未承認額が表示される（ステップＳ２２）。又、支払い予定CSVダウンロードボタン７２を押す事で（ステップＳ２３）表示した内容をファイルでダウンロードする（ステップＳ２４）。未承認額詳細ボタン７１を押すと未承認のデータを図２に示す顧客情報格納ＤＢ３のユーザテーブル３０の３０３から利用者、３０１からカード番号、３０４から所属グループ、図１０に示す利用状況格納ＤＢ４の２０３から乗車場所、２０２から乗車日時、２０５から降車場所、２０４から降車日時、２２２と２２３から料金と利用会社を表示する（ステップＳ２５）。又、未承認データCSVダウンロードボタン７３を押す事で表示した内容をファイルでダウンロードする。
【００３６】
図１４及び図１に於いて、利用者端末１１から、利用者１０のIDでWeb公開部１０５の図４に示す交通機関管理システムWeb５０にログオンし（ステップＳ３１）、図１５に示す自分が利用した利用履歴１１０の画面を表示すると（ステップＳ３２）、利用履歴と共に、承認状況（承認処理）も表示される。この時、支払い方法を変更するには支払い方法変更フォーム１１０１を入力する事で（ステップＳ３３）、支払い方法がユーザ口座引き落とし、又は、ユーザクレジットカードの選択、及び、それぞれに応じた口座、又は、クレジットカード番号を入力する事で、DB更新部１０２を利用して、図２に示すユーザテーブル３０のIDと同じ行のカード番号３０１と同じカード番号が記録された顧客情報格納ＤＢ３の図３に示す未承認データ取り扱いテーブル４１のカード番号４１１と同じ行における引き落とし方法４１２、口座番号４１３、クレジットカード番号４１４にデータを登録する（ステップＳ３４）。
【００３７】
パスワードを変更するにはパスワード変更フォーム１１０２を入力する事でDB更新部１０２を利用して図２に示すユーザテーブル３０のIDと同じ行のパスワード３０６を更新する。メール通知設定を変更するには通知設定フォーム１１０３を入力する事でDB更新部１０２を利用してユーザテーブル３０のIDと同じ行のメールアドレス３０８と乗車通知３０９と降車通知３０１０の値を更新する。
【００３８】
図１３で示す支払い予定７０画面で表示された支払い予定日には、承認部分が、金融機関システム１５により契約顧客６の登録した口座やクレジットカードから自動的に利用代金が引き落とされる。
未承認部分は、図３に示す引き落とし方法４１２の値により、金融機関システム１５により契約顧客６、又は、ユーザが登録した口座やクレジットカードから自動的に利用代金が引き落とされる。
【００３９】
斯くして、本発明の交通機関管理システム１によれば、社外で勤務を行なう等の特定の利用者１０が交通機関１２利用時に、管理者８がその利用状況を把握できると共に、事象発生時に承認者に交通機関１２利用情報を通知する事と、交通機関１２を利用した情報に関して承認作業を行う事で、勤務状況の監視と旅費の精算が容易になる事が期待できる。又、旅費の支払いを利用者１０では無く交通機関１２に直接行う事で、不正な申請の抑止と共に、利用者が多い事業主では振込み手数料負担の低減が期待できる。
【００４０】
又、Webサイトにログオンした管理者端末９によって、グループやICカード番号の範囲により管理者を委任することができると共に、Webアクセス用のパスワードを変更でき、且つ、Webサイトにログオンした利用者端末１１によって、支払いの口座、クレジットカード番号、又は、パスワードを変更できる。
【００４１】
更に、交通機関管理システム１に対し、Web上から管理を委任する管理者８を設定し、ＩＣカードの利用可否１５２を設定し、承認状況により利用料金の支払い者を変更すると共に、特定期間毎の利用料金合計を算出し、支払い予定として計算し、利用料金を自動的に支払うステップを実行させることができる。
【図面の簡単な説明】
【００４２】
【図１】本発明による交通機関管理システムを概略的に示す説明図である。
【図２】図１の交通機関管理システムのユーザテーブルの説明図である。
【図３】図１の交通機関管理システムの管理ルールテーブル及び未承認データ取り扱いテーブルの説明図である。
【図４】図１の交通機関管理システムのログオン画面である交通機関管理システムWebの画面図である。
【図５】図１の交通機関管理システムの利用履歴（管理者用）画面図である。
【図６】図１の交通機関管理システムのユーザ設定（管理者用）画面図である。
【図７】図１の交通機関管理システムの管理の委任（管理者用）画面図である。
【図８】図１の交通機関管理システムの通知設定（管理者用）画面図である。
【図９】図１の交通機関管理システムの交通機関システムと交通機関管理システムとの間の処理フロー図である。
【図１０】図１の交通機関管理システムの利用状況格納データベースの説明図である。
【図１１】図１の交通機関管理システムと管理者端末との間の処理フロー図である。
【図１２】図１の交通機関管理システムと管理者端末との間の他の処理フロー図である。
【図１３】図１の交通機関管理システムの支払い予定（管理者用）画面図である。
【図１４】図１の交通機関管理システムの交通機関管理システムと管理者端末との間の処理フロー図である。
【図１５】図１の交通機関管理システムの利用履歴（利用者用）画面図である。
【符号の説明】
【００４３】
１  交通機関管理システム
２  交通機関管理センター
３  顧客情報格納ＤＢ
４  利用状況格納ＤＢ
５  インターネット網
６  契約顧客
８  管理者
９  管理者端末
１０  利用者
１１  利用者端末
１２  交通機関
１３  交通機関システム
１４  金融機関
１５  金融機関システム
１５２  ICカード
３０８  メールアドレス
【図１】
2007172267.tif 000003
【図２】
2007172267.tif 000004
【図３】
2007172267.tif 000005
【図４】
2007172267.tif 000006
【図５】
2007172267.tif 000007
【図６】
2007172267.tif 000008
【図７】
2007172267.tif 000009
【図８】
2007172267.tif 000010
【図９】
2007172267.tif 000011
【図１０】
2007172267.tif 000012
【図１１】
2007172267.tif 000013
【図１２】
2007172267.tif 000014
【図１３】
2007172267.tif 000015
【図１４】
2007172267.tif 000016
【図１５】
2007172267.tif 000017